(57)【要約】【課題】  ディジタル一眼レフカメラのようなレンズユニット部が撮像装置本体に対して着脱可能な撮像装置において、外部ストロボのようなオプションを用いることなく、省コスト且つ省スペースで、レンズユニット部のレンズ特性に適合した照明手段をレンズユニット部側に備えた撮像装置を提供すること。【解決手段】  各レンズユニット部２側のサブストロボ装置５−１、５−２は、発光ダイオード（ＬＥＤ）で構成し、カメラボディ部１側のメインストロボ装置４は、キセノン発光管（Ｘｅ管）で構成する。サブストロボ装置５−１、５−２は、メインストロボ装置４と同様に、カメラボディ部１側の電源から電力を供給される。レンズユニット部２は、カメラボディ部１に対し矢印をもって示すように、カメラボディ部１の側面から横方向にスライドさせて装着する。【選択図】    図１
2010220110.tif 000002
【特許請求の範囲】
【請求項１】
レンズユニット部が撮像装置本体部に対して着脱交換可能な撮像装置において、前記本体部には、電源と、モニタリング画像および再生画像を表示するモニタ部と、撮影時に照明を行う第１の照明手段と、前記レンズユニット部を電気的かつ機械的に接続する本体側コネクト部を有し、
前記レンズユニット部には、前記本体部を電気的かつ機械的に接続するレンズユニット部側コネクト部と、撮影光学系と、撮影時に照明を行う第２の照明手段を有し、
前記第１の照明手段および前記第２の照明手段は、前記本体部に設けられた発光制御回路を介して前記電源から電力が供給されることを特徴とする撮像装置。
【請求項２】
前記第２の照明手段は、前記撮影光学系の撮影画角に応じた配光特性を有し、
前記第１の照明手段は、前記第２の照明手段に比べて照射角度が広いことを特徴とする請求項１に記載の撮像装置。
【請求項３】
前記第１の照明手段は、メインコンデンサとＸｅ放電管を用いたストロボ方式であって、前記第２の照明手段は、ＬＥＤを用いたＬＥＤ方式であることを特徴とする請求項１または請求項２に記載の撮像装置。
【請求項４】
前記第２の照明手段は、複数個のＬＥＤからなり、前記撮影光学系の撮影画角の変化に応じて、前記複数個のＬＥＤの一部を点灯させることなく撮影時の照明を行うように構成したことを特徴とする請求項３に記載の撮像装置。
【請求項５】
モニタリング時には、前記第２の照明手段のみを照明光として使用し、撮影時には、前記第１の照明手段を使用するように構成したことを特徴とする請求項３または請求項４に記載の撮像装置。
【請求項６】
撮影時に照明を行うときに、前記第１の照明手段と前記第２の照明手段のいずれか一方、あるいは両方を使用することを判断する判定手段を前記本体部側に設けたことを特徴とする請求項１乃至５のいずれか１項に記載の撮像装置。
【請求項７】
前記本体部には、撮影者が撮影モードを設定するモード設定手段をさらに設け、
前記モード設定手段で近距離撮影を行うマクロモードが設定されたときは、前記第２の照明手段のみを撮影で使用するように構成してなることを特徴とする請求項６に記載の撮像装置。
【請求項８】
被写体側を電気信号に変換する撮影素子と画像処理手段を前記本体部に設けてなることを特徴とする請求項１に記載の撮像装置。
【請求項９】
被写体像を電気信号に変換する撮像素子と、画像処理手段を、前記レンズユニット部に設けてなることを特徴とする請求項１乃至７のいずれか１項に記載の撮像装置。
【請求項１０】
モニタリング時には、前記レンズユニット部の前記画像処理手段が前記モニタ部の表示画素数に応じた画像データを生成し、
撮影時には、前記本体部の画像処理手段が前記撮像素子の画素数に応じた記録用の画像データを生成することを特徴とする請求項８または９に記載の撮像装置。
【請求項１１】
請求項１〜１０のいずれか１項に記載の撮像装置を用いてなることを特徴とするカメラ。
【発明の詳細な説明】
【技術分野】
【０００１】
本発明は、例えば、一眼レフレックスカメラ（以下、「一眼レフカメラ」と略称する）のようなカメラ本体に対しレンズユニット部が着脱可能なカメラとして好適な撮像装置に関する。
【背景技術】
【０００２】
従来、特許文献１（特開平８−１７２５６１号公報）や特許文献２（特開２００６−５４７０９号公報）には、カメラ本体にどのようなカメラヘッド（交換レンズ）が装着されてもカメラ本体側でカメラヘッドとは無関係に好適な画像処理が行われるカメラシステムが提案されている。
この特許文献１には、撮影光学系と撮像素子とを備えて画像信号を生成する、該撮像素子の仕様が異なる複数種類のカメラヘッドと、該カメラヘッドが交換自在に装着されたカメラヘッドから画像信号を受信して記録媒体への画像記録処理および／または画像表示画面への画像表示処理を行うカメラ本体とを、有するカメラであって、カメラ本体にどのようなカメラヘッドが装着されてもカメラヘッドとは無関係にカメラ本体内の画像処理を行うことができるように構成されている。
【０００３】
しかしながら、この特許文献１にあっては、撮像の際の照明の要素については、考慮が払われていない。
即ち、ディジタルカメラ等の撮像装置に用いられる照明装置は、使用するレンズの特性（Ｆ値、焦点距離）によって必要とされる発光量、配光角などが異なる。このため、使用するレンズ特性毎に最適なストロボ装置を設計する必要がある。
ところが、レンズ特性に適合したストロボをカメラ本体に内蔵させて対応することは困難である。
そこで、交換するレンズユニット部のそれぞれのレンズ特性に合わせたストロボ装置を各レンズユニット部側に搭載することが考えられる。
【発明の概要】
【発明が解決しようとする課題】
【０００４】
しかしながら、レンズユニット部側にレンズ特性に合わせたストロボ装置を搭載した場合、レンズユニット部が非常に大きく且つ重くなり、使い勝手が劣化する上、コストも高くなる、という新たな問題が生ずる。
本発明は、上記問題に鑑みてなされたものであって、その目的とするところは、ディジタル一眼レフカメラのようなレンズユニット部が撮像装置本体に対して着脱可能な撮像装置において、外部ストロボのようなオプションを用いることなく、省コストで且つ省スペースで、レンズユニット部のレンズ特性に適合した照明手段をレンズユニット部側に備えた撮像装置を提供することにある。
【課題を解決するための手段】
【０００５】
上記課題を解決するために、請求項１に記載した発明に係る撮像装置は、レンズユニット部が撮像装置本体部に対して着脱交換可能な撮像装置において、前記本体部には、電源と、モニタリング画像および再生画像を表示するモニタ部と、撮影時に照明を行う第１の照明手段と、前記レンズユニット部を電気的かつ機械的に接続する本体側コネクト部を有し、
前記レンズユニット部には、前記本体部を電気的かつ機械的に接続するレンズユニット部側コネクト部と、撮影光学系と、撮影時に照明を行う第２の照明手段を有し、
前記第１の照明手段および前記第２の照明手段は、前記本体部に設けられた発光制御回路を介して前記電源から電力が供給されることを特徴としている。
【０００６】
また、本発明の請求項２に記載した発明に係る撮像装置は、前記第２の照明手段が、前記撮影光学系の撮影画角に応じた配光特性を有し、
前記第１の照明手段は、前記第２の照明手段に比べて照射角度が広いことを特徴としている。
また、請求項３に記載した発明に係る撮像装置は、前記第１の照明手段が、メインコンデンサとＸｅ放電管を用いたストロボ方式であって、前記第２の照明手段は、ＬＥＤを用いたＬＥＤ方式であることを特徴としている。
また、請求項４に記載した発明に係る撮像装置は、前記第２の照明手段が、複数個のＬＥＤからなり、前記撮影光学系の撮影画角の変化に応じて、前記複数個のＬＥＤの一部を点灯させることなく撮影時の照明を行うように構成したことを特徴としている。
【０００７】
また、請求項５に記載した発明に係る撮像装置は、モニタリング時には、前記第２の照明手段のみを照明光として使用し、撮影時には、前記第１の照明手段を使用するように構成したことを特徴としている。
また、請求項６に記載した発明に係る撮像装置は、撮影時に照明を行うときに、前記第１の照明手段と前記第２の照明手段のいずれか一方、あるいは両方を使用することを判断する判定手段を前記本体部側に設けたことを特徴としている。
また、請求項７に記載した発明に係る撮像装置は、前記本体部には、撮影者が撮影モードを設定するモード設定手段をさらに設け、
前記モード設定手段で近距離撮影を行うマクロモードが設定されたときは、前記第２の照明手段のみを撮影で使用するように構成してなることを特徴としている。
【０００８】
また、請求項８に記載した発明に係る撮像装置は、被写体側を電気信号に変換する撮影素子と画像処理手段を前記本体部に設けてなることを特徴としている。
また、請求項９に記載した発明に係る撮像装置は、被写体像を電気信号に変換する撮像素子と、画像処理手段を、前記レンズユニット部に設けてなることを特徴としている。
また、請求項１０に記載した発明に係る撮像装置は、モニタリング時には、前記レンズユニット部の前記画像処理手段が前記モニタ部の表示画素数に応じた画像データを生成し、
撮影時には、前記本体部の画像処理手段が前記撮像素子の画素数に応じた記録用の画像データを生成することを特徴としている。
また、請求項１１に記載した発明に係るカメラは、請求項１〜１０のいずれか１項に記載の撮像装置を用いてなることを特徴としている。
【発明の効果】
【０００９】
レンズユニット部が、撮像装置本体部に対して着脱可能な撮像装置において、撮像装置本体部にストロボ撮影時に主発光を行う第１照明手段を備え、各レンズユニット部側に各レンズ特性に最適な特性が得られるように発光量を制御可能な第２の照明手段を備え、前記撮像装置本体部側に設けられた各照明手段の発光制御回路によって第１の照明手段と第２の照明手段の発光制御を共通化することで、レンズユニット部の第２の照明手段は、発光部のみの変更で、対応可能となり、レンズユニット部を過剰に大きくすることなく、照明ムラが少なく照明効率が高く、しかも安価なレンズユニット部を有する撮像装置を提供することができる。
【図面の簡単な説明】
【００１０】
【図１】本発明の第１の実施の形態に係る撮像装置のレンズユニット部をカメラボディ部に装着する前の外観を示す外観図であり、図１（ａ）は、広角単焦点レンズユニット部の装着前の外観を示し、図２（ｂ）は、光学ズーム機能付レンズユニット部の装着前の外観を示すものである。
【図２】本発明の第１の実施の形態に係る撮像装置の回路ブロック構成を示す回路ブロック図であり、図２（ａ）は、カメラボディ部１（図１）に単焦点レンズユニット部を装着した場合のレンズユニット部側の回路ブロック構成を示し、図２（ｂ）は、同じ場合でボディユニット側の回路ブロック構成を示すものである。
【図３】本発明の第１の実施の形態に係る撮像装置において、カメラボディ部に搭載されるメインストロボ装置の水平方向の配光特性を示す特性グラフ図である。
【図４】広角単焦点レンズユニット部のサブストロボ装置の外観を示す説明図である。
【図５】光学ズーム機能付レンズユニット部のサブストロボ装置の外観を示す正面図である。
【図６】光学ズーム機能付レンズユニット部の、サブストロボ装置とメインストロボ装置の両方を用いて発光させた場合のＷＩＤＥ側水平方向の配光特性を示す特性グラフ図である。
【図７】光学ズーム機能付レンズユニット部の、サブストロボ装置と、メインストロボ装置の両方を用いて同時に発光させた場合のＴＥＬＥ側水平方向の配光特性を示す特性グラフ図である。
【図８】本発明の第２の実施の形態に係る撮像装置の撮影開始から撮影終了までのタイミングを示すタイミングチャート図である。
【発明を実施するための形態】
【００１１】
本発明は、レンズユニット部が着脱可能に撮像装置たる交換式カメラに装着される照明手段としてのストロボ装置において、カメラのカメラボディ部にストロボ撮影時の主発光を行うメインストロボ装置と、レンズユニット部に各レンズ特性に最適な特性が得られるように発光量と配光を制御することができるサブストロボ装置とを備え、サブストロボ装置の発光制御回路を、撮像装置本体部であるカメラボディ部に設置し、各レンズユニット部に共通の回路とすることで、レンズユニット部のストロボ装置は発光部のみの変更で適正な発光に対応可能となり、レンズユニット部を過剰に大きくすることなく、搭載されるレンズの各々に対し、最適なストロボ装置を得られるようにしているものである。
以下、本発明の撮像装置の実施の形態について、〔第１の実施の形態〕、〔第２の実施の形態〕の順に図面を参照して詳細に説明する。
【００１２】
〔第１の実施の形態〕
図１は、本発明の第１の実施の形態に係る撮像装置の外観を示す外観図であり、図１（ａ）は、カメラボディ部１に装着前の広角単焦点レンズユニット部の外観を示し、図１（ｂ）は、カメラボディ部に装着前の光学ズーム機能付レンズユニット部の外観を示すものである。
レンズユニット部２は、複数の種類を有するが、図１（ａ）に示す広角単焦点レンズユニット部２（以下、「タイプ１」と称する）においては、単焦点レンズユニット部２が、カメラボディ部１にカメラボディ側面から図１（ａ）に矢印をもって示すように横方向にスライドインする構成例を示している。第２の照明手段としてのサブストロボ装置５−１は、発光ダイオード（以下、「ＬＥＤ」と略称する）で構成されており、レンズユニット部２に搭載されている。
他方、図１（ｂ）に示す光学ズーム機能付レンズユニット部（「タイプ２」と称する）においては、光学ズーム機能付レンズユニット部３が、カメラボディ部１にカメラボディ側面から矢印をもって示す方向にスライドインする構成例を示している。サブストロボ装置５−２は、ＬＥＤで構成されており、レンズユニット部３に搭載されている。
図１において、第１の照明手段としてのメインストロボ装置４は、キセノン発光管（以下、「Ｘｅ管」と略称する）で構成されており、カメラボディ部１の正面右寄りの位置に搭載され、いずれのレンズユニット部に対しても共通に使用される。
【００１３】
図２は、本発明の第１の実施の形態に係る撮像装置の回路ブロック構成を示す回路ブロック図であり、図２（ａ）は、カメラボディ部１（図１）に単焦点レンズユニット部２を装着した場合のレンズユニット部２側の回路ブロック構成を示し、図２（ｂ）は、レンズユニット部２側の回路ブロックと接続されるボディユニット側（カメラボディ部１側）の回路ブロック構成を示すものである。
図２に示す本実施の形態に係る撮像装置の回路ブロック構成では、カメラボディ部１（図１）に単焦点レンズユニット部２を装着した場合の回路ブロック構成を示しているが、カメラボディ部１に光学ズーム機能付レンズユニット部３を装着した場合においても、基本的な回路ブロック構成は同様である。以下、単焦点レンズユニット部２を代表として説明する。
尚、図２においては、レンズユニット部２側に撮像素子と画像処理手段を搭載した実施の形態が示されているが、一般的なディジタル一眼レフカメラのように、カメラボディ部１側に、撮像素子と画像処理手段を搭載するようにしてもよい。また、レンズユニット部２側に撮像素子を設け、画像処理手段をカメラボディ部１側に設けるようにしてもよい。
【００１４】
図２（ａ）に示すレンズユニット部２側の回路１００は、主要な回路ブロックとして、レンズユニット部２側の電源を制御する電源制御回路（ＤＣ／ＤＣ）１０１と、レンズユニット部２側の演算を行うサブマイコン１０２と、レンズユニット部２内の画像処理を行う画像エンジン１０３と、レンズの移動量を示すホール素子１０４と、レンズ群の一部のレンズの補正を行うボイスコイル１０５と、手ぶれ量を検知するジャイロセンサ１０６と、画像を得るレンズ群１０７と、画像信号を得る撮像素子１０８と、画像信号を処理するＡＦＥ１０９と、鏡筒繰り出し／収納用のモータ１１０と、モータ１１０のドライバ回路であるモータドライバ１１１と、加速度量を検出する加速度センサ１１２と、装着可能なレンズを検出するレンズ検出回路１１３と、プログラムを保存するフラッシュメモリ（ＲＯＭ）１１４と、画像エンジン１０３用の作業用メモリ（ＤＤＲ−ＳＤＲＡＭ）１１５と、レンズユニット部側のジョイントコネクタ１１６と、レンズユニット部側のサブストロボ装置１２７と、を備える。
【００１５】
また、図２（ｂ）に示すボディユニット側の回路２００は、主要な回路ブロックとして、カメラボディ部１側のジョイントコネクタ２０１と、レンズユニット部２側への電源スイッチ２０２と、カメラボディ部１側の電源を制御する電源制御回路（ＤＣ／ＤＣ）２０３と、リチウムイオンバッテリ２０４と、カメラボディ部１側のサブマイコン２０５と、上下左右キーなどで構成されるスイッチ群２０６と、カメラボディ部１側のメインストロボ装置２０７と、カメラボディ部１側の画像エンジン２０８と、ＥＶＦ２０９と、ＬＣＤ２１０と、カメラボディ部１側のフォーカス＆レリーズスイッチ２１１と、ＨＤＭＩ出力コネクタ２１２と、ＡＶ出力用インターフェースコネクタ２１３と、ＵＳＢインターフェース用コネクタ２１４と、を備える。また、ボディユニット側の回路２００は、ＵＳＢインターフェース用コネクタ２１４と、カメラボディ部１に実装される音声コーデックＩＣ２１６と、スピーカ２１７と、マイクロフォン２１８と、カメラボディ部１起動＆制御用のプログラムを保存するフラッシュメモリ（ＲＯＭ）２１９と、カメラボディ部の画像エンジン２０８のための作業用メモリ（ＤＤＲ−ＳＤＲＡＭ）２２０と、カメラボディ部１側の画像エンジン２０８に接続されたＬＥＤ−ＤＲＩＶＥＲ２２５と、を備える。
【００１６】
以下、図２に示す本実施の形態に係る撮像装置の回路の機能について説明する。レンズ群１０７を介して入ってくる撮像データは、撮像素子１０８にて光から微弱な電気信号に変換された後、ＡＦＥ１０９にて信号増幅とディジタル信号へと変換される。ディジタル信号化された撮像データは、レンズユニット部２内の画像エンジン１０３にてYuv変換からJPEG画像にデータ変換されるか、若しくは画像エンジン１０３にてRAWデータファイルを生成する。
このディジタル化された任意の撮像データファイルは、レンズユニット部２側画像エンジン１０３の双方向バス１２３、レンズユニット部２側のジョイントコネクタ１１６およびカメラボディ側のジョイントコネクタ２０１を介してカメラボディ部１側双方向バス２２３経由で、カメラボディ部１側の画像エンジン２０８へパケット通信手段にて送信される。
レンズユニット部２側の画像エンジン１０３の双方向バス１２３およびカメラボディ側の画像エンジン２０８の双方向バス２２３は、バス幅が適応的に変更できる。
また、画像処理は、データ処理の複雑さの度合いにより、レンズユニット部２側の画像エンジン１０３とカメラボディ部１側の画像エンジン２０８とに分散処理を行うことが可能であり、それぞれデータ処理途中のデータについて、必要に応じて双方向バスにてデータの授受ができるように構成してある。
【００１７】
加速度センサ１１２で検出された加速度量を画像エンジン１０３にて演算して、大地との水平度を計算し、この水平度をボディユニット側の回路２００内のＬＣＤ２１０若しくはＥＶＦ２０９に表示すると共に、ＨＤＭＩ出力は、ＨＤＭＩ出力コネクタ２１２を介して、ＨＤＴＶに出力する。
レンズ駆動型手ぶれ補正機能を有する構成の場合、ジャイロセンサ１０６が検知した手ぶれ量から、画像エンジン１０３にて補正すべき量を演算した後、レンズ群１０７の一部のレンズをボイスコイル１０５の駆動により移動させて適切な補正を行うと共に、該レンズの移動量は、ホール素子１０４にて画像エンジン１０３にフィードバックする。
フラッシュメモリ（ＲＯＭ）１１４は、レンズユニット部２の起動用のプログラムおよび制御用のプログラムを保存するフラッシュメモリであり、作業用メモリ（ＲＡＭ）１１５は、レンズユニット部２内の画像エンジン１０３のための作業用メモリである。
モータドライバ１１１は、レンズユニット部２の鏡筒繰り出し／収納用のモータドライバであり、画像エンジン１０３に制御されて、モータ１１０を駆動する。この機構により鏡筒収納時、レンズユニット部２とカメラボディとは全体でフラットな構造となる。
【００１８】
符号１２１は、レンズユニット部２側の制御信号を示し、カメラボディ側の制御信号（符号２２１）に接続される。
符号１２２は、レンズユニット部２側のシリアルインターフェース信号であり、カメラボディ部１側のシリアルインターフェース信号（符号２２２）に接続されて、双方の画像エンジン１０３の制御パラメーターの授受に用いることができる。
符号１２４は、レンズユニット部側のＳＤＩＯ信号であり、カメラボディ側のＳＤＩＯ（符号２２１）に接続されて、カメラボディ部１側の画像エンジン２０８の汎用インターフェースポートに入力される。
レンズユニット部側のサブマイコン１０２は、カメラボディ側から供給された電力を検知すると共に、レンズユニット部側のＤＣ／ＤＣ（コンバータ）１０１を制御して、レンズユニット部内に必要な各種電源を供給させる。
レンズ検出回路１１３は、レンズユニット部外部に装着可能なテレコンバーターレンズ、若しくはワイドコンバータレンズを検出するための回路である。
フォーカス＆レリーズスイッチ２１１は、カメラボディ側に設けられるフォーカス＆レリーズスイッチであり、上下左右キーなどで構成されるスイッチ群２０６による制御信号はカメラボディ側のサブマイコン２０５に入力される。
【００１９】
カメラボディ側のサブマイコン２０５は、リチウムイオンバッテリ２０４から供給される電力を、カメラボディ側のＤＣ／ＤＣ２０３を介して制御することで、電源制御およびレンズユニット部側への電源スイッチ２０２の制御を行う。
符号２１９は、カメラボディ部起動＆制御用のプログラムが保存されているフラッシュメモリ（ＲＯ４Ｍ）を示し、符号２２０は、カメラボディ部の画像エンジン２０８のための作業用メモリ（ＲＡＭ）を示す。
カメラボディ部に実装される音声コーデックＩＣ２１６では、マイクロフォン２１８にて音が収集できると共に、スピーカ２１７にて音を出力することができる。
ＵＳＢインターフェース用コネクタ２１４は、ＵＳＢインターフェース用のコネクタであり、ＡＶ出力用インターフェースコネクタ２１３は、ＡＶ出力用のインターフェースコネクタである。
カメラボディ側に搭載されているメインストロボ装置２０７は、発光部がＸｅ管で構成されている。
レンズユニット部側に搭載されているサブストロボ装置１２７は、カメラボディ側の画像エンジン２０８に接続されたＬＥＤ−ＤＲＩＶＥＲ２２５からの制御信号と、レンズユニット部側のＤＣ／ＤＣ１０１から供給される電力で動作する。
【００２０】
なお、一実施例として、タイプ１の広角単焦点レンズユニット部２（図１）は、例えば、Ｆ値２．０、焦点距離２４ｍｍ（画角７４°）とし、かつタイプ２の光学ズーム機能付レンズユニット部３（図２）のＷＩＤＥ側は、例えば、Ｆ値３．０、焦点距離２８ｍｍ、ＴＥＬＥ側はＦ値５．０、焦点距離８４ｍｍとして、メインストロボ装置２０７を、タイプ１のレンズユニット部で最適となるように設計することができる。
図３は、本発明の第１の実施の形態に係る撮像装置において、カメラボディ部１に搭載されるメインストロボ装置２０７の水平方向の配光特性を示す特性グラフ図である。
同図に示すように、メインストロボ装置２０７の配光特性は、タイプ１の広角単焦点レンズユニット部２のレンズ特性に合わせて設計しているため、光学ズーム機能付レンズユニット部３では、撮影エリア全面を照射することが可能である。
しかし、従来の撮像装置では、光学ズーム機能付レンズユニット部３の場合、レンズのＦ値が大きくなってしまうため、同じ発光量でストロボを発光させた場合においては、広角単焦点レンズユニット部２に比べて暗くなってしまうという問題点がある。この問題点を解決するため、本実施の形態に係る撮像装置では、レンズユニット部側には、サブストロボ装置５−１，５−２を設置している。
【００２１】
図４は、広角単焦点レンズユニット部２のサブストロボ装置５−１の外観を示す説明図である。
広角単焦点レンズユニット部２では、カメラボディ部１側のメインストロボ装置４で十分な特性が得られるように構成しているため、同図に示すように、サブストロボ装置５−１は、補助光として使用する１個のＬＥＤから構成される。
図５は、光学ズーム機能付レンズユニット部３のサブストロボ装置５−２の外観を示す説明図である。
同図に示す光学ズーム機能付レンズユニット部３のサブストロボ装置５−２は、合計４個のＬＥＤで構成されており、中心の２個（即ち、ＬＥＤ１とＬＥＤ２）は、垂直方向（画角０°方向）に、両端の２個（即ち、ＬＥＤ３とＬＥＤ４）は、垂直方向から外側（画角が広くなる方向）に配光されるように設置されている。このようなサブストロボ装置５−２においては、ＴＥＬＥ側の配光角が小さい場合では中心部の２個のＬＥＤ（即ち、ＬＥＤ１とＬＥＤ２）のみに大きな駆動電流を流して中心部を強く発光させ、ＷＩＤＥ側の場合は、両端の２個のＬＥＤ（即ち、ＬＥＤ３とＬＥＤ４）に大きな駆動電流を流し、中心部の２個のＬＥＤ（即ち、ＬＥＤ１とＬＥＤ２）の駆動電流は小さくすることで、最適な配光が得られるようにしている。
【００２２】
図６は、光学ズーム機能付レンズユニット部３の、サブストロボ装置５−２とメインストロボ装置４の両方を用いて発光させた場合のＷＩＤＥ側水平方向の配光特性を示す特性グラフ図である。
また、図７は、光学ズーム機能付レンズユニット部３の、サブストロボ装置５−２と、メインストロボ装置４の両方を用いて発光させた場合のＴＥＬＥ側水平方向の配光特性を示す特性グラフ図である。
ここでは、水平方向の配光について示し、最適な配光が得られる工夫を説明したが、垂直方向に関しても同様の工夫が可能である。
以上に述べたように、本発明の第１の実施の形態に係る撮像装置によれば、レンズユニット部２のサブストロボ装置５−１，レンズユニット部３のストロボ装置５−２をＬＥＤとすることで、Ｘｅ管ストロボのような昇圧回路を必要とせず、カメラボディ部１側に搭載したＬＥＤドライバからの制御信号とレンズユニット部２側から供給される電力のみでの動作が可能となる。このためレンズユニット部２，３のサブストロボ装置５−１，５−２のＬＥＤの制御系統を変更し、カメラボディ部１側の発光制御回路としてのＬＥＤドライバ２２５（図２）で制御することで、各レンズユニット部２，３に最適なストロボ配光を得ると共に、コストの安い撮像装置を得ることができる効果がある。
また、レンズユニット部２，３側に搭載されるサブストロボ装置５−１、５−２に、ＬＥＤを用いることで、通常測距用の補助光用ＬＥＤと兼用にして使用することができる効果も得られる。
【００２３】
〔第２の実施の形態〕
本発明の第２の実施の形態に係る撮像装置の構成は、本発明の第１の実施の形態に係る撮像装置の構成と同じであるが、レンズユニット部２，３側に搭載されたサブストロボ装置５−１、５−２は、ストロボ撮影時のプレ発光（即ち、調光、赤目防止）用としても使用され、各レンズ仕様に最適なＬＥＤの発光において測距、プレ発光までの処理を行えることを特徴とする。
図８は、本発明の第２の実施の形態に係る撮像装置の撮影開始から撮影終了までのタイミングを示すタイミングチャート図である。
測距やプレ発光（調光、赤目防止）用にＬＥＤ輝度を制御して用いる技術は、周知であるため、ここでは詳細な説明を省略するが、従来技術においては、カメラボディに固定されたＬＥＤを用いていたため、取り付けられるレンズによって特性が合わず精度が低下するという問題点があった。
しかしながら、本実施の形態のサブストロボ装置では、各レンズユニット部に合ったＬＥＤを搭載し、かつレンズのズーム状況により配光・光量を変化させることができるため、常に精度の高い測距、プレ発光特性を得ることが可能となる。また、プレ発光（調光、赤目防止）をサブストロボ装置５−１、５−２で行うことで、メインストロボ装置のメインコンデンサに蓄えられたエネルギーの消費を抑えることができて、ストロボ撮影時の光量低下を防ぎ、効率を高めることができる。
【００２４】
上述し且つ図示した実施の形態によれば、ディジタル一眼レフカメラのようなレンズユニット部交換可能なディジタルカメラにおいて、省スペースで安価に交換可能なレンズの特性（発光量、配光角など）に最適な照明手段（ストロボ装置）を含む撮像装置を提供することができる。
また、第２の照明手段としてのサブストロボ装置は、消費電力が少なく、充電待機時間が短いか、０に近い時間であるため、即写性に富むと共に、ストロボ撮影時の光量低下を防ぐことができる。
また、モニタリング時には、第２の照明手段を用い、撮影時には、第１の照明手段を用いることで、効率の良い使い分けをすることができ、節電効果を高めることができ、また、第１の照明手段と第２の照明手段の駆動手段を、撮像装置（カメラ本体）側に設けた電源と発光制御回路で共通化させることで、特に、レンズユニット部のスペースを増大させることなく且つ余分なコストを増やすことなく、レンズユニット部内へ照明手段を配設することができる。
【産業上の利用可能性】
【００２５】
本発明に係る撮像装置は、ディジタルカメラおよび携帯情報端末装置に適用が可能である。
【符号の説明】
【００２６】
１  カメラボディ部
２、３  レンズユニット部
４  メインストロボ装置
５−１、５−２  サブストロボ装置
１００  レンズユニット部側の回路
１０１  電源制御回路（レンズユニット部側）
１０２  サブマイコン（レンズユニット部側）
１０３  画像エンジン（レンズユニット部側）
１０４  ホール素子
１０５  ボイスコイル
１０６  ジャイロセンサ
１０７  レンズ群
１０８  撮像素子
１０９  ＡＦＥ
１１０  モータ
１１１  モータドライバ
１１２  加速度センサ
１１３  レンズ検出回路
１１４  フラッシュメモリ（ＲＯＭ）（レンズユニット部側）
１１５  作業用メモリ（ＲＡＭ）（レンズユニット部側）
１１６  ジョイントコネクタ（レンズユニット部側）
１２７  サブストロボ装置
２００  ボディユニット側の回路
２０１  ジョイントコネクタ（カメラボディ側）
２０２  電源スイッチ
２０３  電源制御回路（カメラボディ側）
２０４  リチウムイオンバッテリ
２０５  サブマイコン（カメラボディ側）
２０６  スイッチ群
２０７  メインストロボ装置（カメラボディ側）
２０８  画像エンジン（カメラボディ側）
２０９  ＥＶＦ
２１０  ＬＣＤ
２１１  フォーカス＆レリーズスイッチ（カメラボディ側）
２１２  ＨＤＭＩ出力コネクタ
２１３  ＡＶ出力用インターフェースコネクタ
２１４  ＵＳＢインターフェース用コネクタ
２１６  音声コーデックＩＣ
２１７  スピーカ
２１８  マイク
２１９  フラッシュメモリ（ＲＯＭ）（カメラボディ側）
２２０  作業用メモリ（ＲＡＭ）（カメラボディ側）
２２５  ＬＥＤ−ＤＲＩＶＥＲ
【先行技術文献】
【特許文献】
【００２７】
【特許文献１】特開平８−１７２５６１号公報
【特許文献２】特開２００６−５４７０９号公報
【図１】
2010220110.tif 000003
【図２】
2010220110.tif 000004
【図３】
2010220110.tif 000005
【図４】
2010220110.tif 000006
【図５】
2010220110.tif 000007
【図６】
2010220110.tif 000008
【図７】
2010220110.tif 000009
【図８】
2010220110.tif 000010